(57)【要約】【課題】  行先表示を管理するデータベースへの情報登録を自動化し、最新情報を提供する。【解決手段】  ネットワーク上に行先表示を管理するデータベースを設け、ネットワークに接続された情報端末の利用を契機として、該データベースの管理情報の変更（更新）を自動的に実行する。【選択図】図１
2010166193.tif 000002
【特許請求の範囲】
【請求項１】
ユーザの所在を示す情報を管理する行先管理サーバに接続されたディスプレイにユーザの現在の所在を表示するシステムにおいて、
ネットワーク上にユーザの行き先をディスプレイに表示する行き先情報を管理する行先表示サーバとユーザ情報を管理するデータベースを備え、
上記行先表示サーバは、上記ネットワークに接続されたＩＰ電話端末を含む情報機器の操作を契機として、上記ユーザの所在情報を管理する上記データベースを自動的に更新する手段を有することを特徴とする行先表示システム。
【請求項２】
前記行先管理サーバは、ユーザが利用している前記情報機器に対し、一定の間隔で状態を取得し、前記最新のユーザ所在情報を、前記行先表示サーバを通して前記ディスプレイに表示する機能を有する請求項１に記載の行先表示システム。
【請求項３】
前記行先表示サーバは、前記ユーザの所在情報を管理する前記データベースに対し、前記ネットワークに接続されたオフィス施設内の設備からの操作に応じて、前記データベースの情報を更新する手段を設け、これにより前記ユーザの所在情報を更新する請求項１に記載の行先表示システム。
【発明の詳細な説明】
【技術分野】
【０００１】
本発明はユーザ（ユーザ使用機器）の所在を示す情報を、ネットワークを介して遠隔地の例えば自オフィスに設置されたディスプレイに表示する行先表示システムに関し、特にネットワーク接続された情報機器のユーザ操作を契機として、最新のユーザ所在地情報をユーザ自身が変更の手間をかけることなく自動的に更新することが可能な行先表示システムに関する。
【背景技術】
【０００２】
最近、出張先より社内ネットワークあるいは、リモートアクセス回線を通じて、社内の業務システムにアクセスできるようになった。したがって、必ずしも自オフィスの席にいなくても業務遂行ができる環境になった。その代わり行先を明確にする表示方法が必要となる。
【０００３】
この行先表示を外出先など遠隔からでも操作するためには管理情報を電子化した上でネットワークに接続する必要がある。この種のシステムにおいては、例えば特願平８―２２３２１０号公報に記載されているように、ネットワークに接続されたパソコン等の端末からユーザの所在を示す情報を管理しているデータベースの行先情報を更新する方法がある。
【０００４】
【特許文献１】特願平８-２２３２１０号公報
【発明の開示】
【発明が解決しようとする課題】
【０００５】
従来のシステムでは、行先表示を利用者が更新するためには、ユーザがその内容を自ら変更する必要があり、適切なタイミングで更新されないと表示している情報が古くなる問題点があった。つまり、現在の行き先と表示内容の行き先とが一致しない場合が起こりえる。
【０００６】
本発明は、かかる問題に鑑みなされ、その目的は、ユーザによる行先表示の更新を自動化するとともに、最新情報の行先表示を提供可能な行先表示システムを提供することにある。
【課題を解決するための手段】
【０００７】
上記目的を達成するために、本発明では、行き先情報を管理する行先表示サーバとユーザ情報を管理するデータベースとユーザの行き先を示す行き先情報を表示するディスプレイをネットワーク上に用意し、上記行き先表示サーバは、ユーザの行き先、例えば使用機器の操作を検知し、上記データベースのユーザ情報（行き先情報）を自動更新する更新手段を有する。  
【発明の効果】
【０００８】
本発明によれば、ネットワーク接続された情報機器の操作を契機として、最新のユーザ所在地情報をユーザ自身が変更の手間をかけることなく自動的に更新することができるため、ユーザによる更新の手間を省くとともに、最新情報を表示することができる。
【発明を実施するための最良の形態】
【０００９】
以下、本発明の実施の形態について図面により詳細に説明する。図１は本発明を適用した行先表示システムの一実施の形態を表す構成図を示したものである。
【００１０】
図１において、１０１はユーザの所在を示す情報を管理するテーブルをもつデータベースである。データベース１０１には、ユーザに関する情報として、後述するユーザＩＤ、所属ＩＤ、所属場所（位置情報）、利用している情報機器のＩＰアドレス、定期的にユーザに関する情報を取得する手段（確認方法）を示す情報、ユーザが利用する電話番号、更新日時を管理するユーザ管理テーブル（図２参照）を作成する。ここで、情報を取得する手段としては、例えばユーザがネットワークに接続された情報機器を操作しログインしたとき、前記ユーザ管理テーブルに対し、ＩＰアドレス、利用した情報機器の種類に応じた定期的な情報を確認する方法を示す情報が記録してある。１０２はＩＰ電話サーバ、１０４および１０５はユーザが利用する情報機器を示し、例えばＩＰ電話端末やパソコンである。
【００１１】
１０８は行先表示システムを示し、該システムは行先表示サーバ１０６、ディスプレイ１０７を有し、行先表示サーバ１０６が管理するユーザの情報（行先情報/所在場所）をディスプレイ１０７に表示する。例えばユーザの所属するオフィスに設置された前記行先表示サーバ１０６は、ネットワーク１０３を通して定期的に前記データベース１０１にアクセスし、行先表示サーバ１０６のユーザ管理テーブル（図２参照）を参照し、あらかじめ設定された所属ＩＤと同一の複数のユーザ情報を取得し、該行先表示サーバ１０６に接続されたディスプレイ１０７にユーザの所在一覧を表示する。
【００１２】
ユーザがネットワーク１０３の例えばＩＰ電話端末１０４を操作し、ログインしたのち、つまりＩＰ電話端末１０４を利用したとき、データベース１０１の所在情報（所在場所）を更新し、行先表示サーバ１０６をもってディスプレイ１０７に表示する情報を更新する。
【００１３】
前記行先表示サーバ１０６はユーザの利用しているＩＰ電話端末１０４やパソコン１０５に対し、一定間隔で最新情報の取得を行う。情報取得に用いる手段は、ユーザ管理テーブル（図２参照）に記載の定期的な情報取得手段に基づく。例えば、ＩＣＭＰ（インターネット制御メッセージプログラム）またはＳＮＭＰ（Simple Network Management Protocol）を用いる。取得した情報（結果）はディスプレイ１０７への表示に反映するとともに、状態が変化していた場合には、データベース１０１のユーザ管理テーブルの情報更新も行う。
【００１４】
ネットワークにはオフィス施設内の設備も接続し、設備が操作された結果、ユーザの所在が変化したことが判別できた時点でユーザ管理テーブルを更新するようにしても良い。
【００１５】
１１２は会議室を示し、該会議室には、例えばＩＰ電話端末１１１（情報機器）が存在する。また、照明スイッチ１０９および施錠スイッチ１１０はフロア設備としてネットワークに接続され、これらを操作したとき、その情報をデータベース１０１に反映させることが可能に構成されている。１０３は複数拠点を結ぶネットワークである。
【００１６】
次に前記データベース１０１の内部で管理するテーブルの構造について図２を参照して説明する。
【００１７】
図２において、２０１はユーザ管理テーブルを示し、ユーザＩＤ２０１ａによって識別される各ユーザの詳細情報を管理するテーブルである。このテーブル２０１は、ユーザＩＤ２０１ａ、所属ＩＤ２０１ｂ、所在場所（行先情報）２０１ｃ、ＩＰアドレス２０１ｄ、確認方法（情報取得手段）２０１ｅ、更新日時２０１ｆ、内線番号２０１ｇ、携帯電話番号２０１ｈ等の情報を有している。所属ＩＤ２０１ｂは複数のユーザが所属する部署の扱いを示すものであり、行先表示サーバ１０６がデータベース１０１から状態を取得する場合は、所属ＩＤ２０１ｂが同一のものを全て取得しディスプレイ１０７に一覧として表示する。
【００１８】
２０１ｃは当該ユーザの現在地（行先情報）を示し、２０１ｄはユーザが操作した情報機器のＩＰアドレスを示す。２０１ｅはＩＰアドレス２０１ｄをもつ情報機器に対し、行先表示サーバ１０６が状態取得に使用する手段を表すものとし、ＩＣＭＰ、ＳＮＭＰといったＩＰ通信における機器監視方法を適用する。２０１ｆはユーザ管理テーブル２０１における当該ユーザレコードの更新日時を記録し、登録されている情報の確度として使用することができる。２０１ｇ、２０１ｈはそれぞれユーザと１対１に対応した内線番号および携帯電話番号であり、ＩＰ電話システムを利用した際に利用者を特定し、ＩＰアドレス情報と合わせて、ユーザの所在場所を検出するために利用する。
【００１９】
２０２は所在場所２０２ａ、開始ＩＰアドレス２０２ｂ、終了ＩＰアドレス２０２ｃを有する場所管理テーブルを示し、行先表示システム１０８に表示する場所に対するネットワークのＩＰアドレス範囲を定義する。情報機器１０４，１０５のＩＰアドレスより、場所管理テーブル２０２を参照し場所を特定したのち、ユーザ管理テーブル２０１の所在場所２０１ｃを更新する。
【００２０】
次に図１および図２で示した構成を用いて、ユーザの所在を登録する方法を図３に基づいて説明する。
【００２１】
図３は、ＩＰ電話端末１０４を使用するユーザが別のＩＰ電話端末３０１に対し、電話をかけたことを示す図である。ここで、各ユーザのユーザＩＤおよび電話番号はユーザ管理テーブル２０１に存在するものとする。このときＩＰ電話端末１０４が発信操作３０２をしたことは、ＩＰ電話サーバ１０２が検知することができ、この操作を契機として、前記ＩＰ電話端末１０４を使用するユーザのＩＰアドレスおよび時刻をデータベース１０１内のユーザ管理テーブル２０１に対して更新３０４を行う。同様に着信３０３を受けたＩＰ電話端末３０１の情報も、前記ユーザ管理テーブル２０１に更新を行う。
【００２２】
次に社内の業務システムにアクセスしたことによって、ユーザの所在を登録する方法について図４に基づいて説明する。
【００２３】
ユーザがパソコン１０５を用いて社内の業務システム４０１にアクセス４０２を行う場合、業務システム４０１ではユーザへのサービス提供にあたり、個人の認証を行うものとし、ユーザＩＤとアクセスしてきたＩＰアドレスによってネットワーク上の場所を特定したのち、データベース１０１内のユーザ管理テーブル２０１に対して更新４０３を行う。
【００２４】
次にユーザがもつ携帯電話を使用し、社外から社内のユーザ宛に電話した場合の構成を図５に基づいて説明する。
【００２５】
外出時に携帯電話５０２を用いて社外から社内向けへの発信５０３をした場合は、公衆電話網５０１を経由し、公衆電話網５０１を収容するＩＰ電話サーバ１０２に着信する。ＩＰ電話サーバ１０２は、公衆電話網５０１を通じて得られる携帯電話番号をユーザ管理テーブル２０１（携帯電話番号２０１ｈ）から検索し、当該ユーザの所在場所を外出中として更新５０５を行う。一方、着信先であるＩＰ電話１０４を利用するユーザが応答した場合は、当該ユーザの所在場所を場所管理テーブル２０２の情報に従い、ユーザ管理テーブル２０１の更新５０５を行う。
【００２６】
次にユーザが所属する部署のオフィスに設置された行先を管理するディスプレイに表示を更新する方法について図６に基づいて説明する。
【００２７】
前記図１から図５までの説明において、ユーザがネットワーク１０３に接続された情報機器１０５への操作を契機とし、その情報機器を操作したユーザの所在をデータベース１０１に対して更新が行われているものとする。
【００２８】
行先表示サーバ１０６は、データベース１０１のユーザ管理テーブル２０１の参照６０１を行い、あらかじめ決められた所属ＩＤ２０１ｂをもつユーザの所在表示を行う。ここで取得された情報を元に一定周期に情報機器１０５に状態監視６０２を行う。状態監視６０２の手段は確認方法２０１ｅに定義し、ＩＰ通信においての標準であるＩＣＭＰまたはＳＮＭＰを用いる。状態管理の結果はユーザ管理テーブル２０１に反映する。合わせてディスプレイ１０７の最新の所在情報を確認時刻とともに更新する。
【００２９】
次にネットワークに接続されたフロアの設備を操作することによってユーザの所在情報を更新する方法を図７に基づいて説明する。ここで、会議室など社内の位置が固定され、一定区画に区切られた場所においては、フロアの設備の操作をもって、情報変更の契機とすることができる。
【００３０】
会議室１１２には、ネットワーク１０３に接続しその操作がデータベースと連動する照明スイッチ１０９および施錠スイッチ１１０を用意する。会議室に入室したユーザはＩＰ電話端末１１１を用いて自身の所在が会議室１１２であることの登録７０１をデータベース１０１に対して行う。登録はあらかじめ決められた操作により、ＩＰ電話端末を操作して行う。会議に参加する複数のユーザが同様の操作を行い、各ユーザの所在は会議室１１２と管理される。
【００３１】
会議が終了後、照明スイッチ１０９を操作し消灯すると、照明スイッチ１０９は会議室１１２を利用していたユーザの所在情報の破棄７０２を行う。同様に施錠スイッチ１１０を用いてもユーザ情報の更新をおこなうことができる。  
次に行先表示サーバ１０６の機能構成を図８、その動作を図９に基づいて説明する。
タイマ部８０６により一定間隔で、図９に示す処理を起動する。
データベース１０１情報抽出部８０２により、所属ＩＤ２０１ｂが行先表示サーバ１０６にて管理対象に設定されたユーザであり、抽出したデータＳ８０１２はデータ格納部８０７に一時的に保存する。
この抽出したデータ全件８０１２に対して、情報機器状態１０５監視確認方法２０１ｅに基づいて、情報機器状態１０５状態監視部８０３において機器の状況を確認し、データベース１０１状態更新部８０２で所在場所２０１ｃ、更新日時２０１ｆを更新するとともに、データ格納部８０７も合わせて更新する。ディスプレイ１０７表示更新部８０５は接続されたディスプレイに対して、ユーザの所在情報を８０１を基づいて表示する。
【図面の簡単な説明】
【００３２】
【図１】本発明の実施の形態を表すシステム構成図。
【図２】図１におけるデータベース内部で管理するデータテーブルを示す図。
【図３】行先表示サーバの状態更新時の動作を示す図。
【図４】ＩＰ電話利用時のデータベース更新を示す図。
【図５】パソコン利用時のデータベース更新を示す図。
【図６】情報機器利用時のデータベース更新を示す図。
【図７】設備を操作した時のデータベース更新を示す図。
【図８】行先表示サーバの一例を示すブロック図。
【図９】図８のサーバの動作を説明する処理図。
【符号の説明】
【００３３】
１０１：ユーザの情報を管理するデータベース
１０２：ＩＰ電話サーバ
１０３：社内ネットワーク
１０４、１０５、１１１：ユーザが操作を行う情報機器
１０６：行先表示サーバ
１０７：行先表示を行うディスプレイ
１０９：ネットワークに接続された照明スイッチ
１１０：ネットワークに接続された施錠スイッチ
１１２：会議室
２０１：ユーザ情報を格納するユーザ管理テーブル
２０２：場所情報を格納する場所管理テーブル
４０１：ネットワークに接続された業務システム
【図１】
2010166193.tif 000003
【図２】
2010166193.tif 000004
【図３】
2010166193.tif 000005
【図４】
2010166193.tif 000006
【図５】
2010166193.tif 000007
【図６】
2010166193.tif 000008
【図７】
2010166193.tif 000009
【図８】
2010166193.tif 000010
【図９】
2010166193.tif 000011